(57)【要約】【課題】様々な幅寸法を有する帯状体やシート体に留めることができるクリップを提供すること。【解決手段】クリップ１は、クリップ本体１０およびカムロック体６０を備え、クリップ本体１０は、クリップ基部２０、クリップ底部３０および一対のクリップ側部４０を有し、カムロック体６０は、回動操作部６１、一対の軸部６４および係止カム部６５を有する。一対の軸部６４は一対のクリップ側部４０に軸支される。クリップ底部３０とクリップ側部４０との間には、被係止材２を配置可能な側部開口１１が形成されている。【選択図】図１
0003226148.tif 000002
【実用新案登録請求の範囲】
【請求項１】
被係止材（２）を差込可能なクリップ本体（１０）と、前記クリップ本体（１０）に差し込まれる前記被係止材（２）を係止するカムロック体（６０）とを備えており、
前記クリップ本体（１０）は、クリップ底部（３０）と、前記被係止材（２）の差込方向に交差する幅方向において前記クリップ底部（３０）に対して両側に配置された一対のクリップ側部（４０）と、前記クリップ底部（３０）および前記一対のクリップ側部（４０）に連続したクリップ基部（２０）とを有しており、
前記カムロック体（６０）は、前記クリップ底部（３０）に対して間隔を隔てて配置された回動操作部（６１）と、前記回動操作部（６１）の前記幅方向における両端部に形成された一対の軸部（６４）と、前記被係止材（２）の係止位置（Ｐ１）において前記回動操作部（６１）から前記クリップ底部（３０）側に突出した係止カム部（６５）とを有しており、
前記一対の軸部（６４）は前記一対のクリップ側部（４０）に回動可能に軸支されており、
前記クリップ底部（３０）と前記一対のクリップ側部（４０）のうちの少なくとも一方のクリップ側部との間には、前記被係止材（２）を配置可能な側部開口（１１）が形成されている
ことを特徴とするクリップ。
【請求項２】
前記側部開口（１１）は、前記クリップ底部（３０）と前記一対のクリップ側部（４０）との間にそれぞれ形成される
ことを特徴とする請求項１に記載のクリップ。
【請求項３】
前記クリップ本体（１０）は、前記側部開口（１１）を前記差込方向および前記幅方向に交差する上下方向に拡大可能な弾性を有する
ことを特徴とする請求項１または請求項２に記載のクリップ。
【請求項４】
前記係止カム部（６５）は、前記被係止材（２）の係止位置（Ｐ１）から解除位置（Ｐ２）へ差込方向における奥側に回動可能に配置されており、
前記クリップ底部（３０）には、前記被係止材（２）を前記係止カム部（６５）と差込方向に挟持するカム受け部（３３）が形成されており、
前記カム受け部（３３）は、前記係止位置（Ｐ１）および前記解除位置（Ｐ２）の間に配置される
ことを特徴とする請求項３に記載のクリップ。
【請求項５】
前記クリップ底部（３０）には、前記カム受け部（３３）と差込方向に対向して配置された補助カム受け部（３４）が形成されており、
前記係止カム部（６５）は、前記係止位置（Ｐ１）で前記カム受け部（３３）および前記補助カム受け部（３４）の間に配置される
ことを特徴とする請求項４に記載のクリップ。
【請求項６】
前記クリップ本体（１０）は、被取付材を取付可能なフック状またはループ状の取付部（５０，５２，５５）を有する
ことを特徴とする請求項１から請求項５のいずれか一項に記載のクリップ。
【考案の詳細な説明】
【技術分野】
【０００１】
本考案は、様々な幅寸法のテープや、カーテン等のシート部材に留められるクリップに関する。
【背景技術】
【０００２】
従来、ベルトを留めるカムロックバックルが知られている（特許文献１参照）。このカムロックバックルは、底部および幅方向両側の起立壁部を有した本体と、本体の起立壁部に回動可能に連結した可動部材とを備えており、可動部材には本体の底部との間にベルトを挟持する挟持部が形成されている。
【先行技術文献】
【特許文献】
【０００３】
【特許文献１】国際公開第２０１２／０４９７３９号
【考案の概要】
【考案が解決しようとする課題】
【０００４】
ところで、特許文献１に記載のカムロックバックルでは、本体の幅方向両側の起立壁部の間に配置されるベルトを、本体の底部と可動部材の挟持部とで挟持して留める構成とされているので、両側の起立壁部の間の幅寸法よりも大きい幅寸法を有したベルト、テープなどの帯状体やカーテンなどのシート体を留めることはできない。
【０００５】
本考案の目的は、様々な幅寸法を有する帯状体やシート体に留めることができるクリップを提供することにある。
【課題を解決するための手段】
【０００６】
本考案のクリップは、被係止材を差込可能なクリップ本体と、前記クリップ本体に差し込まれる前記被係止材を係止するカムロック体とを備えており、前記クリップ本体は、クリップ底部と、前記被係止材の差込方向に交差する幅方向において前記クリップ底部に対して両側に配置された一対のクリップ側部と、前記クリップ底部および前記一対のクリップ側部に連続したクリップ基部とを有しており、前記カムロック体は、前記クリップ底部に対して間隔を隔てて配置された回動操作部と、前記回動操作部の前記幅方向における両端部に形成された一対の軸部と、前記被係止材の係止位置において前記回動操作部から前記クリップ底部側に突出した係止カム部とを有しており、前記一対の軸部は前記一対のクリップ側部に回動可能に軸支されており、前記クリップ底部と前記一対のクリップ側部のうちの少なくとも一方のクリップ側部との間には、前記被係止材を配置可能な側部開口が形成されていることを特徴とする。
本考案のクリップによれば、被係止材をクリップ本体に差し込んでクリップ底部上に配置し、続いて、カムロック体の回動操作部を回動操作し、一対の軸部周りで係止カム部を回動させながらその先端をクリップ底部に接近させることで、被係止材をクリップ底部との間で挟持できる。このようにカムロック体で被係止材を係止することで、クリップを被係止材に留めることができる。
更に、クリップ底部と一対のクリップ側部のうちの少なくとも一方のクリップ側部との間には前述した側部開口が形成されているので、被係止材が一対のクリップ側部の間の幅寸法よりも大きい幅寸法を有するものであっても、被係止材をクリップ本体に差し込みつつ側部開口に通すことでクリップ底部上に配置できて、カムロック体を回動操作することで留めることができる。このため、被係止材が前述したように大きい幅寸法を有したベルト、テープなどの帯状体やカーテンなどのシート体であってもクリップを被係止材に留めることができる。
【０００７】
本考案のクリップでは、前記側部開口は、前記クリップ底部と前記一対のクリップ側部との間にそれぞれ形成されていてもよい。
このような構成によれば、被係止材を幅方向両側の側部開口に通すことができ、クリップをその幅方向における任意位置で被係止材に留めることができる。
【０００８】
本考案のクリップでは、前記クリップ本体は、前記側部開口を前記差込方向および前記幅方向に交差する上下方向に拡大可能な弾性を有していてもよい。
このような構成によれば、被係止材の厚さ寸法が側部開口の上下寸法よりも大きいものであっても、クリップ本体を弾性変形させることで被係止材を側部開口に通すことができて、クリップを被係止材に留めることができる。
【０００９】
本考案のクリップでは、前記係止カム部は、前記被係止材の係止位置から解除位置へ差込方向における奥側に回動可能に配置されており、前記クリップ底部には、前記被係止材を前記係止カム部と差込方向に挟持するカム受け部が形成されており、前記カム受け部は、前記係止位置および前記解除位置の間に配置されていてもよい。
このような構成によれば、カムロック体を操作して係止カム部を解除位置から係止位置へ回動する際、一旦、係止カム部はカム受け部と上下方向に対向した上下対向状態となる。この上下対向状態となるとき、係止カム部とカム受け部との間にある被係止材の厚さ寸法に応じてクリップ本体が上下に弾性変形されつつ係止カム部の回動抵抗が一時的に増大する。続いて、係止カム部が係止位置に向かって更に回動してカム受け部を越えると、係止カム部とカム受け部との上下対向状態が解消されて、クリップ本体の上下の弾性変形が戻りつつ係止カム部の回動抵抗が低減して戻り、係止カム部は回動して係止位置へ配置される。このように係止カム部の回動抵抗が一時的に増減するので、カムロック体を操作する指などにクリック感を伝えることができ、目視等しなくても係止完了を喚起できる。
また、係止カム部を係止位置から解除位置へ回動する際にも、係止カム部は上記同様にカム受け部と上下対向状態となった後に当該カム受け部を越えるので、クリップ本体に弾性変形が生じ且つ係止カム部の回動抵抗が一時的に増減する。このため、カムロック体を操作する指などにクリック感を伝えることができ、目視等しなくても係止解除完了を喚起できる。
【００１０】
本考案のクリップでは、前記クリップ底部には、前記カム受け部と差込方向に対向して配置された補助カム受け部が形成されており、前記係止カム部は、前記係止位置で前記カム受け部および前記補助カム受け部の間に配置されてもよい。
このような構成によれば、被係止材を係止カム部およびカム受け部で挟持するのに加え、係止カム部および補助カム部の間でも挟持できて、被係止材の保持力をより高めることができる。
【００１１】
本考案のクリップでは、前記クリップ本体は、被取付材を取付可能なフック状またはループ状の取付部を有していてもよい。
このような構成によれば、例えばフック状の取付部を有したクリップをカーテンなどのシート体に留めることで、シート体を掛けられるシートフックや、シート体を束ねられる被取付材としてのタッセルを掛けられるタッセルフックとして利用できる。
また、ループ状の取付部を有したクリップをベルトなどの帯状体の一端（被係止材）に留める一方、帯状体の他端側（被取付材）を取付部に通して取り付けることで、縫製を必要とせずに環状のベルトとして利用できる。なお、取付部に二つのループ部を形成してコキ形状とすることで、環状のベルトの長さを調整可能にできる。
【考案の効果】
【００１２】
本考案によれば、様々な幅寸法を有する帯状体やシート体に留めることができるクリップを提供することができる。
【図面の簡単な説明】
【００１３】
【図１】本考案の実施形態に係るクリップを展開して示す斜視図。
【図２】前記実施形態に係るクリップを示す平面図。
【図３】前記実施形態に係るクリップを示す縦断面図。
【図４】前記実施形態に係るクリップの動作を示す縦断面図。
【図５】本考案の第１変形例に係るクリップを示す斜視図。
【図６】本考案の第２変形例に係るクリップを示す斜視図。
【考案を実施するための形態】
【００１４】
［本実施形態の構成］
以下、本考案の実施形態を図面に基づいて説明する。
図１から図３において、本実施形態に係るクリップ１は、樹脂製のクリップ本体１０と、樹脂製のカムロック体６０とを備えており、カーテンなどのシート体やベルト、テープなどの帯状体を被係止材２として係止するものである。
以下の説明において、クリップ１に対する被係止材２の差込方向をＸ軸方向とし、クリップ被係止材２の延在する平面においてＸ軸方向と直交する方向をＹ軸方向（幅方向）とし、Ｘ軸方向およびＹ軸方向に直交する方向をＺ軸方向（厚さ方向、上下方向）とする。
【００１５】
クリップ本体１０は、クリップ基部２０と、クリップ基部２０からＸ軸方向に延出したクリップ底部３０および一対のクリップ側部４０と、クリップ基部２０に形成されたフック状の取付部５０とを有している。クリップ側部４０はクリップ底部３０のＹ軸方向における両側に配置されており、クリップ側部４０とクリップ底部３０との間には側部開口１１がそれぞれ形成されている。
【００１６】
クリップ基部２０は、Ｙ軸方向に延びた基片部２１と、基片部２１のクリップ底部３０とは反対側から突出した連続部２２と、連続部２２の突出端からＹ軸方向における両側に延出した掛片部２３とを有している。取付部５０は連続部２２および掛片部２３によってＴ字形状の取付部５０が構成されている。
【００１７】
クリップ底部３０は、Ｘ軸方向に沿った一対の側縁部３１と、一対の側縁部３１に連続してＹ軸方向に沿った差込縁部３２とを有して矩形板状に形成されており、基片部２１の下縁部からＸ軸方向に延出している。このクリップ底部３０には、上方に突出したカム受け部３３および補助カム受け部３４が形成されている。カム受け部３３および補助カム受け部３４はＸ軸方向に間隔を隔てて配置されており、カム受け部３３は補助カム受け部３４に対してクリップ基部２０側に配置され、補助カム受け部３４はカム受け部３３に対してクリップ底部３０の差込縁部３２側に配置されている。
【００１８】
カム受け部３３は、図１に示すようにＹ軸方向に延びた突条で形成されている。カム受け部３３の上端縁３３１は、本実施形態では図３に示すように後述する係止カム部６５の先端６６の回動軌跡６８上に配置されている。このため、被係止材２がない状態で係止カム部６５を回動する際には図４に示すように係止カム部６５の先端６６がカム受け部３３の上端縁３３１に摺接する。被係止材２は図３に示すように係止カム部６５とカム受け部３３とによってＸ軸方向に挟持される。
【００１９】
補助カム受け部３４は、図１に示すように、カム受け部３３と同形状にＹ軸方向に沿って形成された突条部３６と、突条部３６のＹ軸方向における両端に連続してＹ軸方向に沿って形成された凹凸部３７とを有している。この補助カム受け部３４は、図３に示す被係止材２の係止状態で係止カム部６５よりも差込縁部３２側に配置されており、被係止材２は係止カム部６５と補助カム受け部３４とによってＸ軸方向に挟持される。
【００２０】
クリップ側部４０は、基片部２１のＹ軸方向における両端部からＸ軸方向に延出してアーム状に形成されており、その先端部には軸支穴４１がそれぞれ形成されている。また、クリップ側部４０の互いにＹ軸方向に対向する内面には、被係止材２の係止状態でカムロック体６０を受ける受け部４２がそれぞれ形成されている。
【００２１】
側部開口１１は、アーム状のクリップ側部４０の下縁部とクリップ底部３０の一方の側縁部３１との間にＸ軸方向に延びて形成されている。
【００２２】
このように構成されたクリップ本体１０は、図３に示すように基片部２１、クリップ底部３０およびクリップ側部４０によって断面略コ字形状に形成されている。また、クリップ本体１０は、前述したように樹脂製であって側部開口１１をＺ軸方向に拡大可能な弾性を有している。
【００２３】
カムロック体６０は、図１から図３に示すように、クリップ底部３０に対して上方に間隔を隔てて配置された回動操作部６１と、回動操作部６１のＹ軸方向両側に形成された一対の軸部６４と、被係止材２の係止状態において回動操作部６１からクリップ底部３０側に突出した係止カム部６５とを有している。
【００２４】
回動操作部６１は、一対の軸部６４が形成された基部６２と、被係止材２の係止状態において基部６２からクリップ基部２０側に向かって延出した矩形板状の操作カバー６３とを有している。一対の軸部６４は、一対の軸支穴４１にそれぞれＲ方向に回動可能に軸支されている。基部６２は、クリップ底部３０に対してＸ軸方向に間隔を隔てて配置されており、クリップ底部３０の差込縁部３２との間に差込開口１２を形成している。この差込開口１２は、側部開口１１と連続している。この回動操作部６１は、操作カバー６３が指などに把持されながら軸部６４の回動軸心Ｏを中心としてＲ方向に回動操作される。
【００２５】
係止カム部６５は、図３に示す被係止材２の係止状態において軸部６４の回動軸心Ｏを通るＺ軸方向に沿った仮想直線上に配置されている。前記係止状態では、係止カム部６５のうちクリップ基部２０側の面６５１は、基部６２からクリップ底部３０に向かうに連れて後述する差込開口１２側に近づくようにＺ軸方向に対して傾斜しており、係止カム部６５のうち差込開口１２側の面６５２は、Ｚ軸方向に沿って配置される。また、係止カム部６５の先端６６のＹ軸方向における両端側には凹凸部６７が形成されている。この係止カム部６５は、回動操作部６１の回動操作によって図３に実線で示す係止位置Ｐ１から二点鎖線で示す解除位置Ｐ２まで回動可能であり、先端６６は回動軌跡６８上を移動する。ここで、係止位置Ｐ１は、Ｘ軸方向においてカム受け部３３よりも差込縁部３２側であって当該カム受け部３３および補助カム受け部３４の間の位置であり、解除位置Ｐ２は、カム受け部３３よりもＸ軸方向における奥側の位置である。このため、係止カム部６５が係止位置Ｐ１または解除位置Ｐ２へ回動する際にはカム受け部３３を越えることとなる。
【００２６】
以下、本実施形態に係るクリップ１の動作について説明する。
まず、係止カム部６５が解除位置Ｐ２に配置された状態で被係止材２を差込開口１２からＸ軸方向に差し込む。このとき、被係止材２が一対のクリップ側部４０の間隔よりも大きいＹ軸方向の幅寸法を有する帯状体やシート体である場合には、被係止材２は差込開口１２から側部開口１１に通される。
【００２７】
次に、操作カバー６３を操作してカムロック体６０をＲ方向に回動し、係止カム部６５を解除位置Ｐ２から係止位置Ｐ１へ移動して被係止材２を係止カム部６５とカム受け部３３とによってＸ軸方向で挟持する。このとき、被係止材２を更に係止カム部６５と補助カム受け部３４とによってＸ軸方向で挟持してもよい。また、係止カム部６５の凹凸部６７と補助カム受け部３４の凹凸部３７とで被係止材２を挟持することで当該被係止材２のクリップ１に対するＹ軸方向への位置ズレを抑制している。このように挟持することで被係止材２を係止する。
なお、被係止材２の係止状態では、操作カバー６３はクリップ側部４０の受け部４２に受けられることで、係止カム部６５が係止位置Ｐ１から差込開口１２側に更に回動することが規制される。
【００２８】
ここで、係止カム部６５が解除位置Ｐ２から係止位置Ｐ１へ移動する途中で係止カム部６５がカム受け部３３を越えるとき、係止カム部６５がカム受け部３３に上下に対向する位置で先端６６と上端縁３３１との間に被係止材２が上下に挟み込まれる。このとき、クリップ本体１０は被係止材２のＺ軸方向の厚さ寸法等に応じて弾性変形し、カムロック体６０の回動抵抗は一時的に増大する。そして、係止カム部６５がカム受け部３３を越えて係止カム部６５とカム受け部３３との上下対向状態は解除され、先端６６および上端縁３３１における被係止材２の上下の挟み込みが解除され、クリップ本体１０は弾性変形した状態から元に戻り、一時的に増大したカムロック体６０の回動抵抗も低減して戻り、係止カム部６５は係止位置Ｐ１に到達する。このようにカムロック体６０の回動抵抗が一時的に増減することで、操作カバー６３を操作する指などにクリック感を伝え、操作者に係止完了を喚起する。なお、操作カバー６３は、被係止材２の係止状態においてクリップ底部３０に上方から被さった配置となって被係止材２を覆う。
【００２９】
また、被係止材２の係止を解除する場合には、操作カバー６３を操作してカムロック体６０を逆方向に回動し、係止カム部６５を係止位置Ｐ１から解除位置Ｐ２へ移動させる。このときにも、係止カム部６５はカム受け部３３を越えるので、前述同様にカムロック体６０の回動抵抗が一時的に増減し、操作カバー６３を操作する指などにクリック感を伝え、操作者に係止の解除完了を喚起する。
【００３０】
なお、被係止材２の厚さ寸法が側部開口１１のＺ軸方向における開口寸法よりも大きい寸法であっても、被係止材２を差込開口１２から差し込んで側部開口１１に通す際に、クリップ本体１０が弾性変形して側部開口１１の開口寸法が上下に拡大するので、このような被係止材２を係止することも可能である。
【００３１】
前述したように、被係止材２を係止することでクリップ１を留めることができ、例えば被係止材２がカーテンである場合には、Ｔ字形状の取付部５０にタッセル（被取付体）を掛けられるタッセルフックとしてクリップ１を利用でき、タッセルを掛ける房掛けなどが建物に取り付けられていなくてもカーテンを束ねることができる。
【００３２】
［変形例］
前記実施形態では、クリップ基部２０にＴ字形状の取付部５０を形成したが、これに限られない。例えば図５に示す第１変形例のように、Ｕ字形状のフック５１を有した取付部５２をクリップ基部２０に形成してもよい。この場合、例えば被係止材２がカーテンである場合には、クリップ１をカーテンに留めることで、カーテンレール（被取付体）などに掛けられるカーテンクリップを任意位置に構成できる。
【００３３】
前記実施形態では、クリップ基部２０にＴ字形状の取付部５０を形成したが、これに限らず、ループ状の取付部５５を形成してもよく、例えば図６に示す第２変形例のように、二つのループ部５３，５４を有したコキ形状の取付部５５をクリップ基部２０に形成してもよい。この取付部５５は、基片部２１のＹ軸方向における両端からＸ軸方向に延出した一対の側片部５６と、一対の側片部５６に連続してＹ軸方向に沿った掛軸部５７，５８とを有しており、基片部２１、一対の側片部５６および掛軸部５７によってループ部５３が形成されており、一対の側片部５６および掛軸部５７，５８によってループ部５４が形成されている。
このような取付部５５を有したクリップ１では、ベルト、テープなどの帯状体（被取付体）をループ部５３，５４に通すことで帯状体を長さ調整可能に取り付けられる。また、係止カム部６５とカム受け部３３および補助カム受け部３４とに係止される帯状体の自由端側を取付部５５に取り付けることで、長さ調整可能なベルトを縫製せずに構成できる。
【００３４】
前記実施形態では、クリップ１は樹脂製であるが他の材料によって構成されていてもよい。また、クリップ本体１０は、側部開口１１を上下に拡大可能な弾性を有しているが、側部開口１１の上下寸法よりも大きい被係止材２を係止する用途がない場合や、前述したクリック感をクリップ本体１０にもたせる必要がない場合には、クリップ本体１０は前記弾性を有していなくてもよい。
【００３５】
前記実施形態では、係止カム部６５は軸部６４の回動軸心Ｏを通るＺ軸方向に沿った仮想直線上に配置されているが、これに限らず、被係止材２を係止可能であればよく、回転軸心Ｏに対してクリップ基部２０側または差込開口１２側に配置されてもよい。
【００３６】
前記実施形態では、カム受け部３３と対向する補助カム受け部３４が形成されているが、補助カム受け部３４がなくても被係止材２を十分に係止可能である場合にはこの補助カム受け部３４の構成を省略してもよい。
【００３７】
前記実施形態では、一対の側部開口１１が形成されているが、これに限らず、いずれか一方の側部開口１１だけが形成されていてもよい。この場合であっても、クリップ側部４０のＹ軸方向における幅寸法よりも大きい幅寸法の被係止材２を前記一方の側部開口１１に通すことで係止可能である。
【００３８】
前記実施形態では、カム受け部３３の上端縁３３１は、係止カム部６５の先端６６の回動軌跡６８上に配置されているが、これに限らず、回動軌跡６８よりも外周側に配置されていてもよい。この場合、上端縁３３１と回動軌跡６８との間隔が被係止材２の厚さ寸法よりも小さい場合には、係止カム部６５がカム受け部３３を越える際にクリップ本体１０に弾性変形が生じ、係止カム部６５の回動抵抗が一時的に増減して、操作者にクリック感を伝えることができる。
また、カム受け部３３の上端縁３３１は、前記回動軌跡６８よりも内周側に配置されていてもよい。この場合にも、係止カム部６５がカム受け部３３を越える際にクリップ本体１０に弾性変形が生じ、係止カム部６５の回動抵抗が一時的に増減して、操作者にクリック感を伝えることができる。
【００３９】
前記実施形態では、カム受け部３３は上方に突出した凸部形状とされているが、これに限らず、係止位置Ｐ１にある係止カム部６５に対してＸ軸方向に対向する面を有していればよく、例えば、当該面を有した段部形状とされていてもよい。
また、補助カム受け部３４も上方に突出した凸部形状とされているが、係止位置Ｐ１にある係止カム部６５に対してＸ軸方向に対向する面を有していればよく、例えば、当該面を有した段部形状とされていてもよい。
【００４０】
クリップ本体１０には、取付部５０，５２，５５のいずれかが形成されているが、このほかの形状の取付部が形成されていてもよい。また、取付部５０，５２，５５の構成を省略してもよく、この場合であって、例えばクリップ１は、複数のレジャーシートなどの被係止材２を係止したり、一枚の被係止材２の端部を重ねて係止したりすることで当該被係止材２同士を連結する連結具として利用できる。
【符号の説明】
【００４１】
１…クリップ、１０…クリップ本体、１１…側部開口、１２…差込開口、２…被係止材、２０…クリップ基部、２１…基片部、２２…連続部、２３…掛片部、３０…クリップ底部、３１…側縁部、３２…差込縁部、３３…カム受け部、３３１…上端縁、３４…補助カム受け部、３６…突条部、３７，６７…凹凸部、４０…クリップ側部、４１…軸支穴、４２…受け部、５０，５２，５５…取付部、５１…フック、５３，５４…ループ部、５６…側片部、５７，５８…掛軸部、６０…カムロック体、６１…回動操作部、６２…基部、６３…操作カバー、６４…軸部、６５…係止カム部、６５１，６５２…面、６６…先端、６８…回動軌跡、Ｏ…回動軸心、Ｐ１…係止位置、Ｐ２…解除位置。
【図１】
0003226148.tif 000003
【図２】
0003226148.tif 000004
【図３】
0003226148.tif 000005
【図４】
0003226148.tif 000006
【図５】
0003226148.tif 000007
【図６】
0003226148.tif 000008